(57)【要約】【課題】  多くの光コネクタをスペース効率良く収容しつつ、光コネクタの収容及び取り出しを容易に行うことができる光コネクタ収容器を提供する。【解決手段】  光コネクタ収容器４は、光成端架に着脱自在に取り付けられるベース８と、このベース８に移動自在に支持された保留部材９とを有している。保留部材９の一端側には、保留光コードの先端部に装着された光コネクタを個別に保持する複数の保持部２１を有するコネクタ収容棚１９，２０が設けられている。保持部２１は、光コネクタ３４が差し込まれる差込口２１ａを有し、この差込口２１ａより光コネクタ３４を差し込んで保持するように構成されている。保留部材９の他端側には、保留光コード３をコネクタ収容棚１９，２０に向けてガイドするためのＲ状ガイド部２３と、保留光コード３をＲ状ガイド部２３に対して押さえ付けて固定するコード固定部２６とが設けられている。【選択図】  図２
2010145728.tif 000002
【特許請求の範囲】
【請求項１】
複数本の光コードを配線する光成端架に設けられ、未接続の光コードの先端部に装着された光コネクタを収容する光コネクタ収容器において、
前記光成端架に着脱自在に取り付けられるベースと、
前記ベースに支持され、複数の前記光コネクタを個別に保持する複数の保持部を有するコネクタ収容棚と、
前記光コードを前記コネクタ収容棚に向けてガイドするためのガイド部とを備え、
前記保持部は、前記光コネクタが差し込まれる差込口を有し、前記光コネクタを前記差込口より差し込んで保持するように構成されていることを特徴とする光コネクタ収容器。
【請求項２】
前記差込口の寸法が前記光コネクタの外形寸法よりも小さいことを特徴とする請求項１記載の光コネクタ収容器。
【請求項３】
前記ベースに移動自在に支持され、前記未接続の光コードを保留する保留部材を更に備え、
前記コネクタ収容棚は前記保留部材の一端側に設けられ、前記ガイド部は前記保留部材の他端側に設けられており、
前記保留部材は、前記ベースが前記光成端架に取り付けられた状態において、前記差込口が前記光成端架の手前側を向くように前記ベースに対して傾きながら移動可能であることを特徴とする請求項１または２記載の光コネクタ収容器。
【請求項４】
前記保留部材の裏面にはガイド用突起が設けられ、
前記ベースには、前記ガイド用突起と係合するガイドレールが設けられており、
前記ガイドレールは、前記保留部材を前記ベースに対して傾けながら移動させるための湾曲部を有することを特徴とする請求項３記載の光コネクタ収容器。
【請求項５】
前記光コードを前記ガイド部に対して固定するコード固定手段を更に備えることを特徴とする請求項１〜４の何れか一項記載の光コネクタ収容器。
【発明の詳細な説明】
【技術分野】
【０００１】
本発明は、光成端架において未接続の光コードに装着された光コネクタを収容する光コネクタ収容器に関するものである。
【背景技術】
【０００２】
光成端架に具備された光コネクタ収容器としては、例えば特許文献１に記載されているように、光コードの先端部に装着された光コネクタプラグを係止する複数の係止部を有し、収容部から引き込まれた光コードのうち未接続の光コードを保留する保留盤が知られている。
【特許文献１】特開２００１―５７６８３号公報
【発明の開示】
【発明が解決しようとする課題】
【０００３】
ところで、光成端架では数多くの光コードが配線されることから、光成端架用の光コネクタ収容器としては、多くの光コネクタをスペース効率良く収容できること、光コネクタの収容及び取り出しが容易に行えることが強く望まれている。
【０００４】
本発明の目的は、多くの光コネクタをスペース効率良く収容しつつ、光コネクタの収容及び取り出しを容易に行うことができる光コネクタ収容器を提供することである。
【課題を解決するための手段】
【０００５】
本発明は、複数本の光コードを配線する光成端架に設けられ、未接続の光コードの先端部に装着された光コネクタを収容する光コネクタ収容器において、光成端架に着脱自在に取り付けられるベースと、ベースに支持され、複数の光コネクタを個別に保持する複数の保持部を有するコネクタ収容棚と、光コードをコネクタ収容棚に向けてガイドするためのガイド部とを備え、保持部は、光コネクタが差し込まれる差込口を有し、光コネクタを差込口より差し込んで保持するように構成されていることを特徴とするものである。
【０００６】
このような本発明の光コード収容器に、未接続の光コードの先端部に装着された光コネクタを収容するときは、光コードをガイド部に沿って光コード収容器の正面まで持っていき、その状態で光コネクタを保持部の差込口より保持部に差し込んで保持する。従って、未接続の光コードが数多く存在する場合でも、それら多くの光コードの光コネクタをスペース効率良く収容することができる。また、光コード収容器に収容された光コネクタを取り出すときは、光コード収容器の保持部から光コネクタを引き抜く。このように光コネクタを光コード収容器に収容したり、光コード収容器から光コネクタを取り出すときは、光コネクタを保持部に対して抜き差しするだけで良い。これにより、光コネクタの収容及び取り出しを容易に行うことができる。
【０００７】
好ましくは、差込口の寸法が光コネクタの外形寸法よりも小さい。このような構成では、光コネクタを光コード収容器の保持部に差し込んだときには、保持部と光コネクタとの摩擦抵抗により光コネクタが強固に保持されることとなる。従って、光コネクタが保持部から抜け出ることを簡単な構成で確実に防止できる。
【０００８】
また、好ましくは、ベースに移動自在に支持され、未接続の光コードを保留する保留部材を更に備え、コネクタ収容棚は保留部材の一端側に設けられ、ガイド部は保留部材の他端側に設けられており、保留部材は、ベースが光成端架に取り付けられた状態において、差込口が光成端架の手前側を向くようにベースに対して傾きながら移動可能である。
【０００９】
未接続の光コードの先端部に装着された光コネクタを光コード収容器に収容するときは、保留部材をベースに対して移動させることで、コネクタ収容棚の各保持部の差込口が光成端架の手前側を向くように保留部材をベースに対して傾けた状態で、上記のように光コネクタを保持部に差し込んで保持する。また、光コード収容器に収容された光コネクタを取り出すときは、上記と同様に保留部材をベースに対して傾けた状態で、光コード収容器の保持部から光コネクタを引き抜く。従って、光コード収容器が光成端架に取り付けられている状態において、コネクタ収容棚の各保持部の差込口が光成端架の手前側を向いていなくても、光コネクタの収容及び取り出しを容易に且つ確実に行うことができる。
【００１０】
このとき、保留部材の裏面にはガイド用突起が設けられ、ベースには、ガイド用突起と係合するガイドレールが設けられており、ガイドレールは、保留部材をベースに対して傾けながら移動させるための湾曲部を有することが好ましい。この場合には、保留部材のガイド用突起がガイドレールの湾曲部を通ると、保留部材がベースに対して傾くようになる。従って、簡単な構成で、保留部材をベースに対して傾けながら移動させることができる。
【００１１】
さらに、好ましくは、光コードをガイド部に対して固定するコード固定手段を更に備える。この場合には、光成端架内において複数本の光コードがより整然と配線されるようになる。このため、例えば作業中に光コードの曲げや損傷等が発生しにくくなる。
【発明の効果】
【００１２】
本発明によれば、多くの光コネクタを光コネクタ収容器にスペース効率良く収容することができる。また、光コネクタ収容器への光コネクタの収容作業と光コネクタ収容器からの光コネクタの取り出し作業とを容易に行うことができ、作業性を向上させることが可能となる。
【発明を実施するための最良の形態】
【００１３】
以下、本発明に係る光コネクタ収容器の好適な実施形態について図面を参照して詳細に説明する。
【００１４】
図１は、本発明に係る光コネクタ収容器の一実施形態を備えた光成端架を示す概略正面図である。同図において、光成端架１は、所外（加入者側）光ケーブルに内蔵された複数本の光ファイバコード（以下、単に光コードという）と架間光ケーブルに内蔵された複数本の光コードとを接続する光配線装置である。
【００１５】
光成端架１は、所外光ケーブルに内蔵された光コードと接続された複数のカプラユニット（図示せず）と、架間光ケーブルに内蔵された光コードと接続された複数のジャンパユニット２とを備え、これらのユニット同士は光コードで接続される。光コードの両端部には光コネクタ（例えばＭＵコネクタ）が装着されており、光コードと各ユニットとがコネクタ接続される。このとき、ジャンパユニット２にはコネクタ接続されているが、カプラユニットにはコネクタ接続されていない光コード（以下、保留光コードという）３が多数存在する。
【００１６】
そこで、光成端架１には、そのような保留光コード３を保留すべく、保留光コード３の先端部に装着された光コネクタ３４（図８等参照）を収容するための複数の光コネクタ収容器４が具備されている。これらの光コネクタ収容器４は、光成端架１の裏扉５に取り付けられている。光コネクタ収容器４は、ジャンパユニット２と同じ数だけ有しており、各ジャンパユニット２と１対１の対応関係となっている。光コネクタ収容器４は、複数段にわたって２列に配置されている。裏扉５には、各光コネクタ収容器４を取り付けるための矩形状の大穴部６及び小穴部７が並んで複数ずつ形成されている（図６等参照）。
【００１７】
図２は、光コネクタ収容器４の外観を示す斜視図である。同図において、光コネクタ収容器４は、光成端架１の裏扉５に着脱自在に取り付けられるベース８と、このベース８に移動自在に支持され、保留光コード３を保留する保留部材９とを有している。ベース８及び保留部材９は、例えばポリプロピレン等のプラスチックで形成されている。なお、ベース８の材質は、アルミニウムや鉄等の金属であっても良い。
【００１８】
ベース８は、図３に示すように、底板８ａと側板８ｂとからなる断面略Ｌ字状の部材である。側板８ｂには、裏扉５に形成された上記の大穴部６及び小穴部７にそれぞれ係合する係止部１０，１１が設けられている。
【００１９】
係止部１０は、側板８ｂの一端側上部に設けられ、大穴部６に挿入される略三角状の突起１２と、この突起１２から底板８ａ側に延び、裏扉５に引っ掛かる引っ掛け爪１３ａをもった係止片１３と、この係止片１３を弾性変形させるための略Ｌ字状の変形操作片１４とからなっている。係止部１１は、係止部１０から離間するよう側板８ｂの上部に設けられ、小穴部７に挿入されて裏扉５に引っ掛かるようにＬ字状をなしている。
【００２０】
底板８ａの中央部には、窓穴部１５が形成されている。また、底板８ａには、ガイドレール１６，１７が窓穴部１５を挟むように設けられている。ガイドレール１６は係止部１０側に配置され、ガイドレール１７は係止部１１側に配置されている。
【００２１】
ガイドレール１６は、底板８ａの一端部から窓穴部１５まで延びている。ガイドレール１７は、窓穴部１５から底板８ａの他端側に延びると共に、側板８ｂの反対側に向かって湾曲した湾曲部１８を有している。ガイドレール１６における窓穴部１５の反対側の端部にはストッパ１６ａが設けられ、ガイドレール１７における窓穴部１５の反対側の端部にはストッパ１７ａが設けられている。
【００２２】
図２に戻り、保留部材９の一端側には、上記のカプラユニット（図示せず）に接続されない保留光コード３の先端部に装着された光コネクタ３４（図８等参照）を収容するための２段構造のコネクタ収容棚１９，２０が設けられている。下段のコネクタ収容棚１９は、保留部材９と一体化され、上段のコネクタ収容棚２０は、下段のコネクタ収容棚１９上に積層されている。コネクタ収容棚１９，２０同士は、例えば突起と穴との嵌合により位置決め固定されている。
【００２３】
コネクタ収容棚１９，２０は、複数の光コネクタ３４（図８等参照）を個別に収容保持する複数（ここでは３２個）の保持部２１を有している。これらの保持部２１は、格子状（メッシュ状）に配列されている。保持部２１は、光コネクタ３４が差し込まれる矩形状の差込口２１ａを有し、この差込口２１ａより光コネクタ３４を差し込んで保持するように構成されている。
【００２４】
差込口２１ａの開口寸法は、光コネクタ３４の外形寸法よりも僅かに小さくなっている。これにより、光コネクタ３４を保持部２１に差し込むと、両者間に生じる摩擦抵抗によって光コネクタ３４が保持部２１に十分強く保持されることになるため、例えば作業中に光コネクタ３４が保持部２１から抜け出ることが防止される。
【００２５】
また、図示はしないが、コネクタ収容棚１９，２０の背面側（差込口２１ａの反対側）には、背壁部が設けられている。従って、保持部２１に差し込まれた保留光コード３がコネクタ収容棚１９，２０の背面から抜けることは無い。また、コネクタ収容棚１９，２０が光コネクタ３４のキャップの役目を果たすことになるため、光コネクタ３４に塵や埃等が付着しにくくなる。
【００２６】
コネクタ収容棚１９，２０の各保持部２１には、コード番号が予め設定されている。例えば、コネクタ収容棚１９の最下段左側から最上段右側に向かってコード番号が順に１〜３２に付され、コネクタ収容棚２０の最下段左側から最上段右側に向かってコード番号が順に３３〜６４に付されている。光コネクタ３４を保持部２１に保持する際には、光コネクタ３４が装着された保留光コード３の番号に対応するコード番号の保持部２１に当該光コネクタ３４を差し込むようにする。これにより、任意の保留光コード３に装着された光コネクタ３４を保持部２１から抜き出すときに、当該保留光コード３をいちいち探し出さなくて済む。
【００２７】
また、保留部材９におけるコネクタ収容棚１９，２０の前面側には、窓穴部２２がベース８の窓穴部１５と対応するように形成されている。このため、光コネクタ３４をコネクタ収容棚１９の一番下の保持部２１に保持する際には、指を窓穴部２２に入れることで、その一番下の保持部２１にも光コネクタ３４を容易に且つ確実に差し込むことが可能となる。
【００２８】
保留部材９の他端側には、保留光コード３をコネクタ収容棚１９，２０に向けてガイドするためのＲ状ガイド部２３が設けられている。Ｒ状ガイド部２３は、保留光コード３に曲げ癖がつかないように、最小曲げ半径２０ｍｍ以上を確保するような曲げＲとなっている。これにより、保留光コード３の局所曲がりを防止することができる。
【００２９】
保留部材９におけるＲ状ガイド部２３の左右両側には、側壁２４，２５がそれぞれ設けられている。側壁２４には、保留光コード３をＲ状ガイド部２３に対して押さえ付けて固定するコード固定部２６がヒンジ部２７を介して開閉（回動）可能に一体化されている。コード固定部２６の裏面には、保留光コード３を固定する際に保留光コード３に外力が加わりにくくするためのスポンジ２８が固着されている。
【００３０】
側壁２５の外側面には、係止用突起２９が設けられている。コード固定部２６の先端部には、係止用突起２９と係合する係止穴３０を有する係止受け部３１が設けられている。係止用突起２９が係止穴３０に入って係止受け部３１に引っ掛かることで、コード固定部２６が閉じた状態となり、複数本の保留光コード３を一括して固定することが可能となる。これにより、複数本の保留光コード３が煩雑に配線されてしまうことを防止できる。
【００３１】
なお、コネクタ収容棚は、特に２段構造に限られるものではなく、ジャンパユニット２から引き出される保留光コード３の本数によってはコネクタ収容棚２０を積層しなくても良いし、或いは必要な数の保持部２１を有する１つのコネクタ収容棚を保留部材９と一体化させても良い。
【００３２】
保留部材９の裏面には、図４に示すように、ベース８に設けられたガイドレール１６，１７とそれぞれ係合する円柱状のガイド用突起３２，３３が窓穴部２２を挟んで設けられている。ガイド用突起３２はコネクタ収容棚１９，２０側に配置され、ガイド用突起３３はＲ状ガイド部２３側に配置されている。
【００３３】
通常は、ガイド用突起３２がガイドレール１６のストッパ１６ａに当接した状態となっている。この通常状態では、図２に示すように、保留部材９がベース８に対して平行に配置されている。
【００３４】
その通常状態から保留部材９をコネクタ収容棚１９，２０の正面側に動かすと、ガイド用突起３２，３３がガイドレール１６，１７に沿って移動する。そして、ガイド用突起３３がガイドレール１７の湾曲部１８を通ってストッパ１７ａに当たることで、保留部材９が停止する。このとき、図５に示すように、保留部材９がベース８に対して傾いた状態となり、コネクタ収容棚１９，２０の保持部２１の差込口２１ａが僅かに手前側（側板８ｂの反対側）を向くようになる。
【００３５】
つまり、保留部材９は、保持部２１の差込口２１ａがベース８に対して真横から斜め手前側を向くように傾きながら移動可能である。このとき、ベース８に対する保留部材９の傾き角度は、例えば３０度程度である。これにより、光コネクタ収容器４を光成端架１から取り外すことなく、コネクタ収容棚１９，２０の保持部２１に対して保留光コード３の抜き差しを行うことが可能となる。
【００３６】
次に、以上のように構成された光コネクタ収容器４に保留光コード３を保留する作業手順について説明する。
【００３７】
図６に示すように、光成端架１の裏扉５には、上述したように複数の光コネクタ収容器４が取り付けられている。この状態では、コネクタ収容棚１９，２０の保持部２１の差込口２１ａは、光成端架１に対して真横（右側）を向いている。
【００３８】
光コネクタ収容器４を裏扉５に取り付ける場合は、ベース８に設けられた係止部１０の変形操作片１４によって同係止片１３を付勢力に抗して弾性変形させた状態で、裏扉５の大穴部６及び小穴部７にベース８の係止部１０，１１をそれぞれ挿入する。そして、係止部１０の突起１２及び係止片１３が大穴部６に入りきった後、変形操作片１４を離すと、係止片１３が付勢力により元の状態に戻り、係止片１３の引っ掛け爪１３ａが裏扉５に引っ掛かるようになる。
【００３９】
そのような光コネクタ収容器４に保留光コード３の光コネクタ３４（図８等参照）を収容するときは、図７に示すように、保留部材９をベース８に対して右手前側に移動させて傾けることにより、コネクタ収容棚１９，２０の各保持部２１の正面を裏扉５の手前側に向ける。
【００４０】
続いて、任意の保留光コード３を手で持って光コネクタ収容器４の高さ位置まで引き上げた後、図８に示すように、コード固定部２６を開いた状態で、任意の保留光コード３をＲ状ガイド部２３に沿わせながらコネクタ収容棚１９，２０まで導き、その保留光コード３の番号に対応するコード番号の保持部２１に当該保留光コード３の光コネクタ３４を差し込んで保持させる。
【００４１】
その後、必要数の保留光コード３の光コネクタ３４を該当する保持部２１に保持させたら、図９に示すように、コード固定部２６を閉じることで、各保留光コード３をＲ状ガイド部２３に押し付けて固定させる。そして、図１０に示すように、保留部材９をベース８に対して左奥側に移動させることで、保留部材９を通常状態に戻す。
【００４２】
一方、光コネクタ収容器４から任意の保留光コード３の光コネクタ３４を取り出すときは、まず図１１に示すように、保留部材９をベース８に対して右手前側に移動させて傾けることにより、コネクタ収容棚１９，２０の各保持部２１の正面を裏扉５の手前側に向ける。
【００４３】
続いて、図１２に示すように、コード固定部２６を開いた状態で、任意の保留光コード３の光コネクタ３４をコネクタ収容棚１９，２０の該当する保持部２１から抜き取る。このとき、必要に応じて、コネクタ引き抜き治具を用いて光コネクタ３４を保持部２１から抜き取っても良い。
【００４４】
以上のように本実施形態の光コネクタ収容器４にあっては、保留光コード３の先端部に装着された光コネクタ３４を差し込んで保持する複数の保持部２１を有するコネクタ収容棚１９，２０を設けたので、光成端架１内に多数の保留光コード３が存在する場合でも、それらの保留光コード３の光コネクタ３４をスペース効率良く整然と収容することができる。これにより、光成端架１内において多くの保留光コード３が溢れて煩雑に配線されることが防止される。その結果、保留光コード３の断線等が起きにくくなるため、保留光コード３の信頼性の低下を避けることが可能となる。
【００４５】
また、保留光コード３の光コネクタ３４をコネクタ収容棚１９，２０の保持部２１に収容するときは、光コネクタ３４を単に保持部３４に差し込むだけで良く、保留光コード３の光コネクタ３４を保持部２１から取り出すときは、光コネクタ３４を単に保持部２１から抜き取るだけで良いので、光コネクタ３４の収容及び取り出しを容易に行うことができる。
【００４６】
さらに、コネクタ収容棚１９，２０を保留部材９に設け、コネクタ収容棚１９，２０の保持部２１の差込口２１ａが光成端架１の裏扉５の手前側を向くように保留部材９をベース８に対して傾きながら移動可能となる構造としたので、光コネクタ収容器４を光成端架１から取り外すことなく、保留光コード３の光コネクタ３４を保持部２１に対して抜き差しすることができる。これにより、光コネクタ３４の収容及び取り出しに関する作業性を十分向上させることができる。
【００４７】
なお、本発明は、上記実施形態に限定されるものではない。例えば上記実施形態では、光コネクタ収容器４のベース８に窓穴部１５が形成されているが、光コネクタ収容器の小型化を図るために窓穴部１５を形成しなくても良く、この場合にはガイドレール１６，１７を連続的に設けても良い。
【００４８】
また、上記実施形態では、光コネクタ収容器４をベース８と保留部材９という２つの部品で構成したが、保留部材９の無い構造、つまりベース８にコネクタ収容棚１９，２０及びＲ状ガイド部２３を設けた構造としても良い。
【００４９】
ここで、例えば上述したようにコネクタ収容棚１９，２０の保持部２１の差込口２１ａがベース８の長手方向にまっすぐ向いている場合には、光コネクタ収容器が光成端架１に取り付けられたままの状態で光コネクタ３４の収容等を行うことは困難である。しかし、ベース８は光成端架１に対して着脱可能であるため、光コネクタ収容器を光成端架１から取り外して、光コネクタ３４の収容等を行えば良い。このとき、光成端架１内に多くの保留光コード３が存在していても、それらの保留光コード３の光コネクタ３４はコネクタ収容棚１９，２０に整然と収容されているため、光コネクタ収容器を光成端架１から取り外す時に保留光コード３が邪魔になることは殆ど無く、光コネクタ収容器を片方の手で持ったまま、もう片方の手で光コネクタ３４の抜き差しを行うことができる。
【００５０】
さらに、上記実施形態では、保留光コード３をＲ状ガイド部２３に対して固定するコード固定部２６を、ヒンジ部２７により開閉（回動）可能な構造としているが、保留光コード３を固定する手段としては、特にそのような構造には限られず、例えば保留部材９の側壁２４，２５に係止溝を設け、平板状のコード固定部材の両端部を係止溝に挿入するようにしても良い。
【図面の簡単な説明】
【００５１】
【図１】本発明に係る光コネクタ収容器の一実施形態を備えた光成端架を示す概略正面図である。
【図２】図１に示した光コネクタ収容器の外観を示す斜視図である。
【図３】図２に示したベースの外観を示す斜視図である。
【図４】図２に示した保留部材を裏面側から見た状態の外観を示す斜視図である。
【図５】図２に示した保留部材がベースに対して傾いた状態の外観を示す斜視図である。
【図６】図２に示した光コネクタ収容器が光成端架に取り付けられている状態を示す斜視図である。
【図７】図２に示した光コネクタ収容器に保留光コードの光コネクタを収容する際に、保留部材をベースに対して傾けた状態を示す斜視図である。
【図８】図７に示したコネクタ収容棚の保持部に保留光コードの光コネクタが保持される状態を示す斜視図である。
【図９】図８に示したコネクタ収容棚の保持部に必要数の保留光コードの光コネクタが保持された後に保留光コードが固定された状態を示す斜視図である。
【図１０】図９に示した保留部材が通常位置に戻された状態を示す斜視図である。
【図１１】図２に示した光コネクタ収容器から保留光コードの光コネクタを取り出す際に、保留部材をベースに対して傾けた状態を示す斜視図である。
【図１２】図１１に示したコネクタ収容棚の保持部から光コネクタが抜き出される状態を示す斜視図である。
【符号の説明】
【００５２】
１…光成端架、３…保留光コード、４…光コネクタ収容器、８…ベース、９…保留部材、１６，１７…ガイドレール、１８…湾曲部、１９，２０…コネクタ収容棚、２１…保持部、２１ａ…差込口、２３…Ｒ状ガイド部、２６…コード固定部（コード固定手段）、３２，３３…ガイド用突起、３４…光コネクタ。
【図１】
2010145728.tif 000003
【図２】
2010145728.tif 000004
【図３】
2010145728.tif 000005
【図４】
2010145728.tif 000006
【図５】
2010145728.tif 000007
【図６】
2010145728.tif 000008
【図７】
2010145728.tif 000009
【図８】
2010145728.tif 000010
【図９】
2010145728.tif 000011
【図１０】
2010145728.tif 000012
【図１１】
2010145728.tif 000013
【図１２】
2010145728.tif 000014